(57)【要約】【課題】たくさんの写真プリントの注文を同時に処理できる。【解決手段】プリント注文システムは、撮影の予約を受け付ける予約受付手段と、予約受付手段によって入力された顧客を特定する情報を有する撮影予約情報を選択後、撮影予約情報に基づいて撮影された画像情報を入力する画像入力手段と、予約受付手段によって入力された撮影予約情報と画像入力手段によって入力された画像情報を選択後、プリント注文内容を入力する注文内容入力手段と、を有する。【選択図】図２
2005190359.tif 000002
【特許請求の範囲】
【請求項１】
撮影の予約を受け付ける予約受付手段と、
前記予約受付手段によって入力された顧客を特定する情報を有する撮影予約情報を選択後、前記撮影予約情報に基づいて撮影された画像情報を入力する画像入力手段と、
前記予約受付手段によって入力された撮影予約情報と前記画像入力手段によって入力された画像情報を選択後、プリント注文内容を入力する注文内容入力手段と、を有することを特徴とするプリント注文システム。
【請求項２】
前記画像入力手段は、前記画像情報としてサムネイル画像情報と実画像情報とを入力することを特徴とする請求項１に記載のプリント注文システム。
【請求項３】
前記注文内容入力手段は、前記プリント注文内容として写真プリントの商品販売情報とレイアウト情報とを入力することを特徴とする請求項１に記載のプリント注文システム。
【請求項４】
前記注文内容入力手段は、前記サムネイル画像情報に基づいて前記商品販売情報と前記レイアウト情報とを入力することを特徴とする請求項３に記載のプリント注文システム。
【発明の詳細な説明】
【技術分野】
【０００１】
この発明は、プリント注文システムに関する。
【背景技術】
【０００２】
従来より、被写体について視覚的に識別できる画像を記録する技術として、被写体の画像を写真感光材料に記録する写真技術が知られ、例えば写真館、イベント会場等のスタジオにおいて、記念撮影等に多く使用されている。ところで、写真によって被写体を撮影すると、現像するまでの間は被写体の写り具合を知ることはできず、写り具合がわかるまでに時間がかかり、写真が気に入らなければ撮影をやり直すことになって多くの時間が無駄になるという問題がある。
【０００３】
このために、例えば、画像を写真感光材料に記録する主カメラと、主カメラの視野の少なくとも一部を視野とする画像を電気信号に変換する補助カメラと、主カメラのシャッタの開放に同期して補助カメラで得た静止画像を表示する表示手段とを備え、複数枚の写真を次々に撮影する場合にあっては写り具合のもっともよい写真を選択した後に焼付・現像を行うものがある（例えば、特許文献１、特許文献２）。
【特許文献１】特開平６−２７３８４７号公報
【特許文献２】特公平７−１１３７３３号公報
【発明の開示】
【発明が解決しようとする課題】
【０００４】
ところで、例えばイベント会場、テーマパーク会場等のスタジオにおいては混雑し、写真館のスタジオにおいても、七・五・三の祝い、学生の入学・卒業、成人式等の時期には特に混雑するが、現状のプリント注文システムは受付と、画像入力とプリント注文内容入力が一連で行われているために、たくさんの写真プリントの注文を同時に処理することができない。
【０００５】
この発明は、かかる点に鑑みてなされたもので、たくさんの写真プリントの注文を同時に処理できるプリント注文システムを提供することを目的としている。
【課題を解決するための手段】
【０００６】
前記課題を解決し、かつ目的を達成するために、この発明は、以下のように構成した。
【０００７】
請求項１に記載の発明は、撮影の予約を受け付ける予約受付手段と、
前記予約受付手段によって入力された顧客を特定する情報を有する撮影予約情報を選択後、前記撮影予約情報に基づいて撮影された画像情報を入力する画像入力手段と、
前記予約受付手段によって入力された撮影予約情報と前記画像入力手段によって入力された画像情報を選択後、プリント注文内容を入力する注文内容入力手段と、を有することを特徴とするプリント注文システムである。
【０００８】
請求項２に記載の発明は、前記画像入力手段は、前記画像情報としてサムネイル画像情報と実画像情報とを入力することを特徴とする請求項１に記載のプリント注文システムである。
【０００９】
請求項３に記載の発明は、前記注文内容入力手段は、前記プリント注文内容として写真プリントの商品販売情報とレイアウト情報とを入力することを特徴とする請求項１に記載のプリント注文システムである。
【００１０】
請求項４に記載の発明は、前記注文内容入力手段は、前記サムネイル画像情報に基づいて前記商品販売情報と前記レイアウト情報とを入力することを特徴とする請求項３に記載のプリント注文システムである。
【発明の効果】
【００１１】
前記構成により、この発明は、以下のような効果を有する。
【００１２】
請求項１に記載の発明では、予約受付手段によって入力された顧客を特定する情報を有する撮影予約情報を選択後、撮影予約情報に基づいて撮影された画像情報を入力し、予約受付手段によって入力された撮影予約情報と画像入力手段によって入力された画像情報を選択後、プリント注文内容を入力し、受付と画像入力とプリント注文内容とを別手段に分解し、画像入力と注文内容入力を受付情報の選択後に行うことで、たくさんの写真プリントの注文を同時に処理できる。
【００１３】
請求項２に記載の発明では、画像情報としてサムネイル画像情報と実画像情報とを入力することで、サムネイル画像情報に基づいてプリント注文を行ない、実画像情報に基づいて写真プリント商品を作成することができる。
【００１４】
請求項３に記載の発明では、プリント注文内容として写真プリントの商品販売情報とレイアウト情報とを入力することで、顧客の要望に応じた写真プリント商品を作成することができる。
【００１５】
請求項４に記載の発明では、サムネイル画像情報に基づいて商品販売情報とレイアウト情報とを入力することで、顧客の要望に応じた写真プリント商品の注文を迅速に行なうことができる。
【発明を実施するための最良の形態】
【００１６】
以下、この発明のプリント注文システムの実施の形態について説明するが、この発明は、この実施の形態に限定されない。また、この発明の実施の形態は、発明の最も好ましい形態を示すものであり、この発明の用語はこれに限定されない。
【００１７】
図１はこの発明のプリント注文システムを適用した写真撮影スタジオの配置図である。この実施の形態の写真撮影スタジオ１は、待合室２、衣裳室３、メイク着付け室４、複数のスタジオ５，６、プレゼン室７、事務所８が配置され、例えば写真館、イベント会場等のスタジオに用いられる。この実施の形態では、入り口９から顧客を待合室２に案内する。スタジオ５，６が用意されているが、スタジオは２室に限定されず、１室でもよく、あるいは３室でも、それ以上でもよい。
【００１８】
この複数のスタジオ５，６には、それぞれカメラ１０、画像入力端末１１が備えられている。プレゼン室７には、複数の注文内容入力端末１２が備えられている。この注文内容入力端末１２は、複数に限定されず、１台でもよいが、複数台配置すると、同時に複数人の顧客の注文に応じることができる。事務所８には、受付端末１３、発注端末１４、管理端末１５、データベースサーバ１６及びファイルサーバ１７が配置されている。
【００１９】
画像入力端末１１、注文内容入力端末１２、受付端末１３、発注端末１４、管理端末１５、データベースサーバ１６及びファイルサーバ１７は、それぞれＬＡＮ１８によって接続されている。また、発注端末１４、管理端末１５は、インターネット２０に接続され、このインターネット２０には、サポートセンターサーバ２１及びセンターサーバ２２が接続されている。
【００２０】
図２はこの発明のプリント注文システムの概略構成図である。受付係は、受付端末１３でプリントの予約を受け付け、この受付端末１３が予約受付手段を構成する。受付端末１３で予約受付の場合はデータベースサーバ１６から顧客情報、注文情報を受け取り、当日受付の場合は顧客の依頼に応じて顧客情報、注文情報を入力してデータベースサーバ１６へ送る。ここで、顧客情報とは、顧客を特定する情報を含み、例えば受付番号、氏名、住所、電話番号、Ｅ−メール等である。この受付において、予約のみ、予約キャンセル、レジ（撮影終了）、注文内容変更、注文状況確認、商品引き渡し、再注文（同じ商品）の場合は、顧客はそれぞれの場所へ移動する。再注文（新規商品）の場合は、プレゼン室７へ移動し、新規商品の注文を行なう。
【００２１】
顧客の依頼に基づき撮影する場合には、衣裳・美容担当は、所定の時間になると顧客をメイク着付け室４に案内し、衣裳室３にある衣裳を選んでメイクや着付けを行なう。メイクや着付けが終了すると、顧客をスタジオ５，６のいずれかに案内する。このように、予約受付手段によって入力された顧客を特定する情報を有する撮影予約情報を選択後、撮影予約情報に基づいて撮影される。ここで、撮影予約情報とは、顧客を特定する情報と、この顧客を特定する情報の他にお宮参り、誕生日、七五三、入園式、成人式、卒業式等の撮影シーン等である。
【００２２】
カメラマンは、カメラ１０によって顧客の撮影を行ない、このカメラ１０はデジタルカメラであり、撮影情報がカメラ１０から画像入力端末１１に入力される。この画像入力端末１１は、予約受付手段によって入力された顧客を特定する情報を有する撮影予約情報を選択後、撮影予約情報に基づいて撮影された画像情報を入力する画像入力手段を構成する。この画像入力端末１１で画像情報をデータベースサーバ１６へ送り保存し、画像情報としてサムネイル画像情報と実画像情報とを入力してファイルサーバ１７へ送り保存する。このファイルサーバ１７には、テンプレートが保存されている。
【００２３】
撮影が終了すると顧客をプレゼン室７へ案内し、販売係は、注文内容入力端末１２によりファイルサーバ１７からサムネイル画像情報を読み出してテンプレート等の選択を行ない、商品販売情報とレイアウト情報とを入力してデータベースサーバ１６へ送り保存する。注文内容入力端末１２は、サムネイル画像情報に基づいて商品販売情報とレイアウト情報とを入力する注文内容入力手段を構成する。
【００２４】
このように、予約受付手段によって入力された顧客を特定する情報を有する撮影予約情報を選択後、撮影予約情報に基づいて撮影された画像情報を入力し、予約受付手段によって入力された撮影予約情報と画像入力手段によって入力された画像情報を選択後、プリント注文内容を入力し、受付と画像入力とプリント注文内容とを別手段に分解し、画像入力と注文内容入力を受付情報の選択後に行うことで、たくさんの写真プリントの注文を同時に処理できる。
【００２５】
また、画像情報としてサムネイル画像情報と実画像情報とを入力することで、サムネイル画像情報に基づいてプリント注文を行ない、実画像情報に基づいて写真プリント商品を作成することができる。また、プリント注文内容として写真プリントの商品販売情報とレイアウト情報とを入力することで、顧客の要望に応じた写真プリント商品を作成することができる。さらに、サムネイル画像情報に基づいて商品販売情報とレイアウト情報とを入力することで、顧客の要望に応じた写真プリント商品の注文を迅速に行なうことができる。
【００２６】
このようにして、プリント注文が行なわれると、事務所８では裏方が発注端末１４によりファイルサーバ１７から実画像情報を読み出し、データベースサーバ１６から商品販売情報とレイアウト情報とを読み出し、センターサーバ２２へ送信する。また、事務所８では管理者が管理端末１５によりサポートセンターサーバ２１から事前登録情報と最新ファイルをダウンロードし、事前登録情報をデータベースサーバ１６へ送信し、最新ファイルをファイルサーバ１７へ送信する。
【００２７】
次に、図３乃至図７に基づきプリント注文システムの構成を詳細に説明する。図３は受付端末の構成を示す図である。この実施の形態の受付端末１３の操作を、画面の入力と出力、データベースの操作に対応して示す。この受付端末１３では、予約受付、予約削除、撮影受付、会計、商品引渡し、注文状況確認を行なう。担当者ＩＤを入力すると、担当者名、撮影予定表を表示する。
【００２８】
［予約受付］
予約受付では、日時選択、電話番号（名前）入力による顧客検索（顧客情報の入力）、撮影シーン選択、連絡事項入力、予約登録を行なう。
【００２９】
［注文状況確認］
注文状況確認では、ＷＥＢで注文状況をラボに問合せる。
【００３０】
［予約受付・注文状況確認以外］
受付Ｎｏ入力または日時選択による注文（予約）選択、電話番号（名前）入力、状況選択による複数検索からの注文（予約）選択、注文（予約）内容、顧客確認を行なう。
＜予約削除＞
連絡事項入力、予約削除を行なう。
＜受付＞
新規願客あるいは情報変更された場合は顧客情報を入力、衣裳、メイク有り無し入力、連絡事項入力、受付登録、連絡メモプリントを行なう。
＜再注文＞
数量、連絡事項入力、受付登録、引換券（レシート）プリントを行なう。
＜注文内容変更＞
数量、連絡事項入力、変更登録、引換券（レシート）プリントを行なう。
＜会計＞
代金回収、入金額入力、連絡事項入力、会計終了、引換券（レシート）プリントを行なう。
＜商品引渡し＞
商品引渡し、商品ごとに引渡し済登録、末払いなら代金回収、入金額入力、連絡事項入力、引渡し終了を行なう。
【００３１】
［画像入力］
図４は画像入力端末の構成を示す図である。この実施の形態の画像入力端末１１の操作を、画面の入力と出力、データベースの操作に対応して示す。この画像入力端末１１では、画像情報と注文の関連付け、画像コピー、サムネイル作成を行なう。
【００３２】
担当者ＩＤを入力すると、担当者名、撮影予定表を表示する。受付Ｎｏ入力または日時選択による注文選択、電話番号（名前）入力、状況選択による複数検索からの注文選択を行なう。注文内容、顧客確認、カメラ選択、スタジオ選択、元フォルダ選択、実画像の取り込み、リネーム、保存、サムネイル画像の作成、保存、連絡事項入力、画像入力終了を行なう。
【００３３】
［注文内容入力］
図５は注文内容入力端末の構成を示す図である。この実施の形態の注文内容入力端末１２の操作を、画面の入力と出力、データベースの操作に対応して示す。この注文内容入力端末１２では、画像表示、画像絞込み、商品販売、注文内容・仕上がりイメージの確認を行なう。
【００３４】
担当者ＩＤを入力すると、担当者名、撮影予定表を表示する。受付Ｎｏ入力または日時選択による注文選択、電話番号（名前）入力、状況選択による複数検索からの注文選択、注文内容、顧客確認を行なう。画像取得、一覧表示し一次画像選択、拡大表示する。レイアウト可否選択、画像、商品選択を行なう。レイアウト可の場合は、回転、位置調整、拡大・縮小、トリミング、ポストカードの場合、文字選択または入力、フォント・位置調整、合成画像表示する。プリント枚数入力、値引き入力、合計計算、「ご注文内容」表示、入金額入力、連絡事項入力しプレゼン終了する。
【００３５】
［発注］
図６は発注端末の構成を示す図である。この実施の形態の発注端末１４の操作を、画面の入力と出力、データベースの操作に対応して示す。この発注端末１４では、画像編集、画像合成、ラボヘの発注、自家プリント、バックアップ、納品登録を行なう。担当者ＩＤを入力すると、担当者名、注文一覧を表示する。
【００３６】
［一覧プリント］
注文一覧をプリント出力する。
【００３７】
［注文内容確認］
一覧からの注文選択、注文内客確認、プリント先選択、連絡事項入力、注文確認終了を行なう。
【００３８】
［画像確認］
画像選択、拡大表示、ゴミ取り、ジャッジ色補正、画像確認し終了する。
【００３９】
［レイアウト調整］
商品販売画像選択、レイアウト調整（プレゼンと同等）、レイアウト調整し終了する。
【００４０】
［作業指示入力］
作業指示入力、作業指示入力し終了する。
【００４１】
［送信予約］
ラボの場合は、合成が必要なら合成画像作成し、不必要ならレイアウト情報を作成する。自家処理の場合は、合成画像作成する。送信予約を完了し登録する。
【００４２】
［送信（定期送信）］
ラボの場合は、送信データ作成、圧縮し、センターサーバ２２ヘの送信を行なう。自家処理の場合は、プリントする。送信中、送信済み登録を行なう。
【００４３】
［アップロード］
送信データ作成、圧縮する。センターサーバ２２ヘの送信する。アップロード完了登録する。
【００４４】
［納品登録］
商品ごとに、納品済登録、連絡事項入力、納品登録し終了する。
【００４５】
［注文状況確認］
ＷＥＢで注文状況をラボに問合せる。
【００４６】
［バックアップ］
画像データをバックアップし、バックアップ完了登録する。
【００４７】
［管理］
図７は管理端末の構成を示す図である。この実施の形態の管理端末１５の操作を、画面の入力と出力、データベースの操作に対応して示す。この管理端末１５では、事前情報登録、バージョンアップ、売上集計、テンプレート作成、各種設定を行なう。担当者ＩＤ、パスワード入力を行なう。基本設定（店情報、従業員（制限）、外注先、バージョンアップ、スケジュール）を行なう。入力設定（デジカメ、スタジオ、ＣＭＳ登録）、出力設定（プリンタ、プリントレイアウト登録）を行なう。発注設定、商品登録（価格登録、テンプレートダウンロード、テンプレート登録、テンプレート作成）、売上集計を行なう。
【００４８】
次に、プリント注文システムの受付端末１３、画像入力端末１１、注文内容入力端末１２、発注端末１４及び管理端末１５の画面表示を、図８乃至図９１に示す。
【００４９】
［ランチャー］（図８）
図８はランチャー画面を示す図である。このランチャー画面３０には、担当者ＩＤ入力部３０ａ、パスワード入力部３０ｂ、受付ボタン３０ｃ、画像入力ボタン３０ｄ、プレゼンテーションボタン３０ｅ、発注ボタン３０ｆ、管理ボタン３０ｇ、バージョンアップボタン３０ｈ及び終了ボタン３０ｉが設けられている。担当者ｌＤ入力部３０ａ、パスワード入力部３０ｂは、設定によって表示、非表示とすることができる。また、英数字半角のみ入力可能で、入力間違いがあると、「ＩＤが違います」というダイアログ表示を行なう。
【００５０】
受付ボタン３０ｃ、画像入力ボタン３０ｄ、プレゼンテーションボタン３０ｅ、発注ボタン３０ｆ、管理ボタン３０ｇ、バージョンアップボタン３０ｈのボタン操作でそれぞれの対応する画面が開き、終了ボタン３０ｉでシステムが終了する。受付ボタン３０ｃの操作による受付は、図９乃至図３１の画面に基づいて行なう。画像入力ボタン３０ｄの操作による画像入力は、図３２乃至図３７の画面に基づいて行なう。プレゼンテーションボタン３０ｅの操作による注文内容入力は、図３８乃至図５７の画面に基づいて行なう。発注ボタン３０ｆの操作による発注は、図５８乃至図６４の画面に基づいて行なう。管理ボタン３０ｇの操作による管理は、図６５乃至図９１の画面に基づいて行なう。
【００５１】
［受付］（図９乃至図３１）
図９に示す受付画面３１には、担当者表示部３１ａ、予約年月表示部３１ｂ、撮影区分（撮影シーン）３１ｃ、当日の撮影予定表３１ｄ、再注文選択部３１ｅ、予約日時表示部３１ｆ、検索部３１ｇ、予約受付ボタン３１ｈ、予約検索ボタン３１ｉ、注文検索ボタン３１ｊ、環境設定ボタン３１ｋ、発注状況確認ボタン３１ｌ、スケジュール印刷ボタン３１ｎ及び戻るボタン３１ｍが設けられている。
【００５２】
検索部３１ｇでは、受付番号、日時、お客様名、電話番号のうち１つの項目でのみ、予約検索ボタン３１ｉ、または注文検索ボタン３１ｊをクリックして検索を行なう。例えば、お客様名を入力し、予約検索ボタン３１ｉ、または注文検索ボタン３１ｊをクリックすると、図２０の注文（予約）選択画面４２で同じ顧客名のリスト４２ａが表示される。また、例えば、電話番号を入力し、予約検索ボタン３１ｉ、または注文検索ボタン３１ｊをクリックすると、図２０の注文（予約）選択画面４２で同じ電話番号のリスト４２ｂが表示される。また、例えば、撮影日を入力し、予約検索ボタン３１ｉ、または注文検索ボタン３１ｊをクリックすると、図２０の注文（予約）選択画面４２で同じ撮影日のリスト４２ｃが表示される。顧客名のリスト４２ａ、電話番号のリスト４２ｂ、撮影日のリスト４２ｃのいずれかで該当する検索結果を指定し、決定ボタン４２ｄをクリックすると、図９において、受付番号、日時、お客様名、電話番号が入力される。図２０の注文（予約）選択画面４２で戻るボタン４２ｅをクリックすると、図９に示す受付画面３１に戻る。
＜予約受付＞
図９に示す受付画面３１において、時間枠を選択して予約受付ボタン３１ｈを押すと、図９２に示すように、選択した時間枠が登録済か否かを判断する（ステップａ１）。選択した時間枠が空欄で未登録の場合は図１２に示す予約登録画面３４に遷移し（ステップａ２）、登録済の場合はステータスチェックを行なう（ステップａ３）。このステータスチェックで予約の場合は、図１３に示す予約確認画面３５に遷移し（ステップａ４）、来店以降の場合は図１４に示す注文確認画面３６に遷移する（ステップａ５）。
＜予約登録＞
図１２に示す予約登録画面３４では、予約日時、お客様名、家族構成、連絡先、電話番号、撮影区分、衣裳の有無、メイクの有無、連絡事項等を入力し、登録ボタン３４ａのクリックで登録する。戻るボタン３４ｂで図９に示す受付画面３１に戻る。連絡先の郵便番号、住所は、Ｙｕｂｉｎ７を使用し、いずれかを一方を入力して変換ボタン３４ｃをクリックすることで、郵便番号と住所が入力される。検索項目として、お客様名と電話番号が設けられ、お客様名を入力して顧客検索ボタン３４ｄをクリックすると、図２１の顧客検索結果画面４３を開き、顧客名のリスト４３ａを表示する。また、例えば、電話番号を入力して顧客検索ボタン３４ｄをクリックすると、図２１の顧客検索結果画面４３を開き、電話番号のリスト４３ｂを表示する。顧客名のリスト４３ａ、電話番号のリスト４３ｂのいずれかで該当する検索結果を指定し、決定ボタン４３ｃをクリックすると、図１２において、お客様名、電話番号が入力される。図２１の注文（予約）選択画面４２で戻るボタン４３ｄをクリックすると、図１２に示す予約登録画面３４に戻る。
＜予約確認＞
図１３に示す予約確認画面３５では、受付番号、予約日時、お客様名、家族構成、連絡先、電話番号、撮影区分、衣裳の有無、メイクの有無、連絡事項等を確認する。連絡先の郵便番号、住所は、Ｙｕｂｉｎ７を使用し、いずれかを一方を入力して変換ボタン３５ａをクリックすることで、郵便番号と住所が変更される。削除ボタン３５ｂをクリックすることで、図２４に示す削除確認画面４６を開き、いいえボタン４６ａ、はいボタン４６ｂのクリックにより所定の予約事項を削除する。また、変更ボタン３５ｃをクリックすることで、図２５に示す予約変更画面４７を開き、いいえボタン４７ａ、はいボタン４７ｂのクリックにより所定の予約事項を変更する。登録ボタン３５ｄをクリックすることで、図２３に示す予約確認画面４５を開き、いいえボタン４５ａ、はいボタン４５ｂのクリックにより所定の予約事項を登録する。戻るボタン３５ｅのクリックで図９に示す受付画面３１に戻る。
＜注文確認＞
図１４に示す注文確認画面３６では、受付番号、撮影日、お客様名、撮影区分、家族構成、連絡先、電話番号、商品、画像、連絡事項等の注文情報を確認する。連絡先の郵便番号、住所は、Ｙｕｂｉｎ７を使用し、いずれかを一方を入力して変換ボタン３６ａをクリックすることで、郵便番号と住所が入力される。合成イメージ部３６ｂに画像を表示する。会計ボタン３６ｃ、納品確認ボタン３６ｄ、商品引渡ボタン３６ｅ、再注文ボタン３６ｆ、注文内容変更ボタン３６ｇ、発注状況確認ボタン３６ｈ、作業メモ入力ボタン３６ｉ及び戻るボタン３６ｊが設けられている。
【００５３】
図９に示す受付画面３１の発注状況確認ボタン３１ｌ、または図１４に示す注文確認画面３６の発注状況確認ボタン３６ｈをクリックすると、図１０に示す発注状況確認画面３２が開き、撮影日を入力すると、この入力された日付の情報が表示される。画面更新ボタン３２ａのクリックで画面の更新が行なわれ、戻るボタン３２ｂのクリックで図９に示す受付画面３１に戻る。
【００５４】
図９に示す受付画面３１のスケジュール印刷ボタン３１ｎをクリックすると、図１１に示すスケジュール印刷画面３３が開き、スケジュール期間を入力すると、この入力された期間のスケジュール情報が表示される。印刷ボタン３３ａのクリックで図２８に示すように印刷画面５０を開き、スケジュール印刷が行なわれる。キャンセルボタン５０ａのクリックでスケジュール印刷がキャンセルされる。戻るボタン３３ｂのクリックで図９に示す受付画面３１に戻る。
＜環境設定＞
図９に示す受付画面３１の環境設定ボタン３１ｋをクリックすると、図２９に示す受付環境設定画面５１が開き、プリント出力先登録、作業メモ出力の有無、作業メモ出力レイアウト、注文一覧出力レイアウト、スケジュールレイアウトを編集ボタン５１ａ〜５１ｄのクリックで設定する。登録ボタン５１ｅのクリックで登録し、戻るボタン５１ｆのクリックで図９に示す受付画面３１に戻る。
＜会計＞
図１４に示す注文確認画面３６の会計ボタン３６ｃをクリックすることで、図１５の受付会計画面３７を開き、この受付会計画面３７には、受付番号、撮影日、お客様名、撮影区分、商品金額、合計金額、値引額、清算日、入金額、未納金額、仕上予定日、連絡事項等の注文情報が表示される。入金履歴ボタン３７ａをクリックすることで、図３１の入金履歴画面５３を開き、入金履歴を表示する。ＯＫボタン５３ａのクリックにより入金履歴画面５３を閉じる。全額入金ボタン３７ｂのクリックにより図３０に示す印刷画面（レシート）５２が開き、レシートの印刷を行なう。キァンセルボタン５２ａのクリックでレシートの印刷がキャンセルされる。登録ボタン３７ｃをクリックすることで、登録するとともに注文確認表（お客様控え）を出力する。戻るボタン３７ｄのクリックで図１４に示す注文確認画面３６に戻る。また、受付画面３７ｅのクリックで図９に示す受付画面３１に戻る。
＜商品引渡し＞
図１４に示す注文確認画面３６の納品確認ボタン３６ｄをクリックすることで、図１６の納品確認画面３８を開き、受付番号、撮影日、お客様名、撮影区分、商品金額、仕上予定日、連絡事項等の注文情報が表示される。全商品納品ボタン３８ａをクリックすることで、商品の納品日を記入し、登録ボタン３８ｂをクリックすることで、登録する。戻るボタン３８ｃのクリックで図１４に示す注文確認画面３６に戻る。また、受付画面３８ｄのクリックで図９に示す受付画面３１に戻る。
【００５５】
図１４に示す注文確認画面３６の商品引渡ボタン３６ｅをクリックすることで、図１７の商品お引渡し画面３９を開き、受付番号、撮影日、お客様名、撮影区分、商品、合計金額、値引額、入金額、清算日、未納金額、仕上予定日、連絡事項等の注文情報が表示される。全商品引渡ボタン３９ａのクリックにより商品の引き渡し日を入力する。全額入金ボタン３９ｂのクリックにより図３０に示す印刷画面（レシート）５２が開き、レシートの印刷を行なう。また、入金履歴ボタン３９ｃをクリックすることで、図３１の入金履歴画面５３を開き、入金履歴を表示する。ＯＫボタン５３ａのクリックにより入金履歴画面５３を閉じる。登録ボタン３９ｄをクリックすることで、登録する。戻るボタン３９ｅのクリックで図１４に示す注文確認画面３６に戻る。また、受付画面３９ｆのクリックで図９に示す受付画面３１に戻る。
＜再注文＞
図１４に示す注文確認画面３６の再注文ボタン３６ｆをクリックすることで、図１８の再注文画面４０を開き、受付番号、撮影日、お客様名、撮影区分、商品、合計金額、値引額、値引内容、追加料金額、追加料金内容、未納金額、仕上予定日、連絡事項等の注文情報が表示される。全額入金ボタン４０ａのクリックにより図３０に示す印刷画面（レシート）５２が開き、レシートの印刷を行なう。また、再注文の新規登録ボタン４０ｂをクリックすることで、図２７の再注文新規登録画面４９を開き、再表示ボタン４９ａをクリックすることで、予約日時、以前の受付番号、撮影日、お客様名、撮影区分、撮影者、連絡先、電話番号、連絡事項等を表示する。また、合成イメージあるいは撮影した画像４９ｂが表示される。登録ボタン４９ｃをクリックすることで、登録する。戻るボタン４９ｄのクリックで図１４に示す注文確認画面３６に戻る。
【００５６】
図１８の再注文画面４０の登録ボタン４０ｃをクリックすることで、登録する。戻るボタン４０ｄのクリックで図１４に示す注文確認画面３６に戻る。また、受付画面ボタン４０ｅのクリックで図９に示す受付画面３１に戻る。
＜注文内容変更＞
図１４に示す注文確認画面３６の注文内容変更ボタン３６ｇをクリックすることで、図１９の注文内容変更画面４１を開き、受付番号、撮影日、お客様名、撮影区分、商品、合計金額、値引額、入金金額、未納金額、仕上予定日、連絡事項等の注文情報が表示される。商品の数量などの注文事項をクリックすることで、図２６の注文内容変更画面４８が表示され、いいえボタン４８ａ、はいボタン４８ｂのクリックにより商品の注文事項を変更する。全額入金ボタン４１ａのクリックにより図３０に示す印刷画面（レシート）５２が開き、レシートの印刷を行なう。また、再登録ボタン４１ｂをクリックすることで、変更した内容で再登録される。戻るボタン４１ｃのクリックで図１４に示す注文確認画面３６に戻る。また、図１４に示す注文確認画面３６の作業メモ出力ボタン３６ｉをクリックすることで、図２２の作業メモプリント画面４４を開き、作業メモプリント中であることの表示を行なう。
【００５７】
［画像入力］（図３２乃至図３８）
図３２に示す画像入力画面５４には、担当者表示部５４ａ、撮影区分（撮影シーン）５４ｂ、当日の撮影予定表５４ｃ、再注文選択部５４ｄ、カメラ、スタジオ選択部５４ｅ、検索部５４ｆ、参照ボタン５４ｇ、注文検索ボタン５４ｈ、環境設定ボタン５４ｉ及び戻るボタン５４ｊが設けられている。検索部５４ｆ、注文検索ボタン５４ｈにより、注文内容、顧客確認を行なう。環境設定ボタン５４ｉをクリックすることで、図３８に示す画像入力環境設定画面６０を開き、画像取込元登録６０ａ、取り込み画像フォーマット６０ｂを設定する。
【００５８】
カメラ、スタジオ選択部５４ｅにより新規／追加を選択し、カメラ選択、スタジオ選択する。画像取り込み元フォルダ選択は、参照ボタン５４ｇをクリックする。この参照ボタン５４ｇをクリックにより図３７に示す画像取り込み元選択画面５９を開き、撮影した画像のある画像取り込み元フォルダ５９ａを選択する。画像取り込み元選択画面５９には、ＯＫボタン５９ｂ、キャンセルボタン５９ｃが設けられ、ＯＫボタン５９ｂをクリックすると図３２に示す画像入力画面５４に戻り、画像取り込み元に表示される。キャンセルボタン５９ｃをクリックすると、図３７の画像取り込み元選択画面５９を閉じて、図３２に示す画像入力画面５４に戻る。
【００５９】
図３２に示す画像入力画面５４のボタン５４ｋをクリックすることにより図３３に示す画像入力確認画面（新規／追加）５５を開き、画像入力確認画面（新規／追加）５５には画像の詳細情報が表記され、画像取り込みボタン５５ａ、戻るボタン５５ｂが設けられている。画像取り込みボタン５５ａをクリックすると図３５に示す画像入力コピー中画面５７を開き、画像を読込中の表示が行われ、キャンセルボタン５７ａをクリックすると画像の読込をしている画像が全て削除される。
【００６０】
実画像の取り込みが終了すると、図３６に示す画像入力終了画面５８を開き、画像の詳細情報を表示する。ＯＫボタン５８ａをクリックすると、図３６に示す画像入力終了画面５８を閉じ、画像の保存、サムネイル画像の作成、保存、連絡事項入力、画像入力終了を行なう。画像入力部５４ｅにより置き換えを選択すると、図３４に示す画像入力確認画面（置き換え）５６を開き、画像入力確認画面（置き換え）５６には画像の詳細情報が表記され、画像取込ボタン５６ａ、戻るボタン５６ｂが設けられている。画像取込ボタン５６ａをクリックすると、図３７に示す画像取込み元選択画面５９を開き、同様にして撮影した画像のある画像取込み元フォルダ５９ａを選択して読込みを行なう。
【００６１】
［注文内容入力］（図３９乃至図５７）
図３９に示すプレゼン画面６１には、画面１、画面２、画面３が設けられ、画面２には担当者表示部６１ａ、撮影区分（撮影シーン）６１ｂ、当日の撮影予定表６１ｃ、再注文選択部６１ｄ、検索部６１ｅ、検索ボタン６１ｆ、環境設定ボタン６１ｇ及び戻るボタン６１ｈが設けられている。担当者ＩＤを入力すると、担当者名、撮影予定表を表示し、検索部６１ｅ、検索ボタン６１ｆにより、顧客確認を行なう。環境設定ボタン６１ｇをクリックすることで、図５７に示すプレゼン環境設定画面７９を開き、画面数設定、画面配置設定、サムネイル表示数設定、ポストカード受取り方法等のプレゼンテーションの設定を行なう。
【００６２】
そして、図４０に示すプレゼン注文確認画面６２により撮影日、お客様名、撮影者、撮影区分、レイアウト、連絡事項等の画像の情報を確認する。レイアウトしないを選択すると、合成画像を表示しない。このプレゼン注文確認画面６２には、画像選択ボタン６２ａ、商品選択ボタン６２ｂ及び戻るボタン６２ｃが設けられている。
＜画像選択＞
図４０に示すプレゼン注文確認画面６２の画像選択ボタン６２ａをクリックすると、プレゼン画像選択画面が開く。このプレゼン画像選択画面にサムネイル画像を表示して画像選択を行なう。このサムネイル画像の選択表示を、３画面表示の実施の形態、２画面表示の実施の形態及び１画面表示の実施の形態について説明する。
【００６３】
まず、３画面表示の実施の形態を、図４１乃至図４３に示す。
【００６４】
図４１に示す３画面プレゼン画像選択画面６３は、画面１にインデックスのサムネイル画像が表示され、画面２にサムネイル画像の拡大表示が行なわれ、画面３にお気に入りのサムネイル画像が表示される。画面１には、拡大ボタン６３ａ、縮小ボタン６３ｂ、回転ボタン６３ｃ、選択解除ボタン６３ｄ、一括選択／解除ボタン６３ｅ、選択ボタン６３ｆ、中断ボタン６３ｇ、戻るボタン６３ｈ、選択終了ボタン６３ｉが設けられ、これらのボタンのクリックでインデックスのサムネイル画像を選択して画面２に拡大表示する。画面２に表示するサムネイル画像は、カラーマネジメントをかけて表示する。気に入ったサムネイル画像を選択して画面３に表示する。
【００６５】
この図４１に示す３画面プレゼン画像選択画面６３の画面３にはお気に入り一覧分割なしボタン６３ｋ、お気に入り一覧４分割ボタン６３ｌ、拡大ボタン６３ｍ、縮小ボタン６３ｎ、選択解除ボタン６３ｏが設けられている。お気に入り一覧分割なしボタン６３ｋをクリックすると、図４２に示す３画面お気に入り一覧分割なし画面６４を開き、３画面お気に入り一覧分割なし画面６４の画面１、画面２、画面３にお気に入りのサムネイル画像が順に表示される。この画面１、画面２、画面３に表示するサムネイル画像は、カラーマネジメントをかけて表示する。図４２に示す３画面お気に入り一覧分割なし画面６４の画面３には、お気に入り一覧４分割ボタン６４ａ、スクロールバー６４ｂ、確定ボタン６４ｃ、選択解除ボタン６４ｄ、標準画面ボタン６４ｅが設けられている。
【００６６】
図４１に示す３画面プレゼン画像選択画面６３のお気に入り一覧４分割ボタン６３ｌ、または図４２に示す３画面お気に入り一覧分割なし画面６４のお気に入り一覧４分割ボタン６４ａをクリックすると、図４３に示す３画面お気に入り一覧４分割画面６５を開き、３画面お気に入り一覧４分割画面６５の画面１にお気に入りのサムネイル画像が順に表示される。この画面１に表示するサムネイル画像は、カラーマネジメントをかけて表示する。図４３に示す３画面お気に入り一覧４分割画面６５の画面３には、お気に入り一覧４分割なしボタン６５ａ、スクロールバー６５ｂ、確定ボタン６５ｃ、選択解除ボタン６５ｄ、標準画面ボタン６５ｅが設けられている。
【００６７】
次に、２画面表示の実施の形態を、図４４乃至図４６に示す。
【００６８】
図４４に示す２画面プレゼン画像選択画面６６は、画面１にインデックスのサムネイル画像とサムネイル画像の拡大表示が行なわれ、画面２にお気に入りのサムネイル画像が表示される。画面１には、拡大ボタン６６ａ、縮小ボタン６６ｂ、回転ボタン６６ｃ、選択解除ボタン６６ｄ、一括選択／解除ボタン６６ｅ、選択ボタン６６ｆ、中断ボタン６６ｇ、戻るボタン６６ｈ、選択終了ボタン６６ｉが設けられ、これらのボタンのクリックでインデックスのサムネイル画像を選択して画面１に拡大表示する。画面１に表示するサムネイル画像は、カラーマネジメントをかけて表示する。気に入ったサムネイル画像を選択して画面２に表示する。
【００６９】
この図４４に示す２画面プレゼン画像選択画面６６の画面２にはお気に入り一覧分割なしボタン６６ｋ、お気に入り一覧４分割ボタン６６ｌ、拡大ボタン６６ｍ、縮小ボタン６６ｎ、選択解除ボタン６６ｏが設けられている。お気に入り一覧分割なしボタン６６ｋをクリックすると、図４５に示す２画面お気に入り一覧分割なし画面６７を開き、２画面お気に入り一覧分割なし画面６７の画面１、画面２にお気に入りのサムネイル画像が順に表示される。この画面１、画面２に表示するサムネイル画像は、カラーマネジメントをかけて表示する。図４５に示す２画面お気に入り一覧分割なし画面６７の画面２には、お気に入り一覧４分割ボタン６７ａ、スクロールバー６７ｂ、確定ボタン６７ｃ、選択解除ボタン６７ｄ、標準画面ボタン６７ｅが設けられている。
【００７０】
図４４に示す２画面プレゼン画像選択画面６６のお気に入り一覧４分割ボタン６６ｌ、または図４５に示す２画面お気に入り一覧分割なし画面６７のお気に入り一覧４分割ボタン６７ａをクリックすると、図４６に示す２画面お気に入り一覧４分割画面６８を開き、２画面お気に入り一覧分割画面６８の画面１にお気に入りのサムネイル画像が順に表示される。この画面１に表示するサムネイル画像は、カラーマネジメントをかけて表示する。図４６に示す２画面お気に入り一覧４分割画面６８の画面２には、お気に入り一覧分割なしボタン６８ａ、スクロールバー６８ｂ、確定ボタン６８ｃ、選択解除ボタン６８ｄ、標準画面ボタン６８ｅが設けられている。
【００７１】
次に、１画面表示の実施の形態を、図４７及び図４８に示す。
【００７２】
図４７に示す１画面プレゼン画像選択画面６９は、画面１にインデックスのサムネイル画像とサムネイル画像の拡大表示が行なわれ、さらにお気に入りのサムネイル画像が表示される。画面１には、拡大ボタン６９ａ、縮小ボタン６９ｂ、回転ボタン６９ｃ、選択解除ボタン６９ｄ、一括選択／解除ボタン６９ｅ、選択ボタン６９ｆ、中断ボタン６９ｇ、戻るボタン６９ｈ、選択終了ボタン６９ｉが設けられ、これらのボタンのクリックでインデックスのサムネイル画像を選択して画面１の中央に拡大表示する。この画面１の中央に表示するサムネイル画像は、カラーマネジメントをかけて表示する。気に入ったサムネイル画像を選択して画面１の右側に表示する。
【００７３】
この図４７に示す１画面プレゼン画像選択画面６９の画面１にはお気に入り一覧４分割ボタン６９ｌ、選択解除ボタン６９ｏが設けられている。図４７に示す１画面プレゼン画像選択画面６９のお気に入り一覧４分割ボタン６９ｌをクリックすると、図４８に示す１画面お気に入り一覧４分割画面７０を開き、１画面お気に入り一覧分割画面７０の画面１にお気に入りのサムネイル画像が順に表示される。この画面１に表示するサムネイル画像は、カラーマネジメントをかけて表示する。図４８に示す１画面お気に入り一覧４分割画面７０の画面１には、お気に入り一覧４分割ボタン７０ａ、スクロールバー７０ｂ、確定ボタン７０ｃ、選択解除ボタン７０ｄ、標準画面ボタン７０ｅが設けられている。
＜商品選択＞
図４０に示すプレゼン注文確認画面６２の商品選択ボタン６２ｂをクリックすると、プレゼン商品選択画面が開く。このプレゼン商品選択画面に商品一覧、テンプレートとサムネイル画像の合成イメージ、お気に入りサムネイル画像の表示を行なう。
【００７４】
この実施の形態のプレゼン商品選択を、図４９乃至図５３に示す。図４９のプレゼン商品選択画面１の表示画面７１は、画面１に商品一覧を表示し、所定の商品をクリックして選択する。例えば、キャンペーンパックを選択すると、図５０のプレゼン商品選択画面２に示すように、キャンペーンパックの商品一覧が画面１に表示される。この商品一覧は、データベースサーバ１６から商品販売情報を読み出して表示する。この商品一覧から例えば七五三パックをクリックして選択すると、図５１のプレゼン商品選択画面３に示すように、テンプレート枚数が表示される。
【００７５】
データベースサーバ１６の商品販売情報は、図９３に示すように設定されている。商品カテゴリ９２ａと撮影シーン９２ｂとを組み合わせて商品名９２ｃと商品内容９２ｄを設定して商品名９２と商品内容９２ｄを表示する。テンプレート枚数の選択を行なうと、ファイルサーバ１７からテンプレートを読み出して図５２のプレゼン商品選択画面４に示すように、選択した枚数分のテンプレートが表示される。この表示された枚数分のテンプレートから所定のテンプレートを選択して画面２に表示する。
【００７６】
図５３のプレゼン中画面の表示画面７１に、画面３に表示したお気に入りのサムネイル画像を選択して画面２に移動し、テンプレートと合成する。この合成は、縮小ボタン７１ａ、拡大ボタン７１ｂ、回転ボタン７１ｃ及び位置調整ボタン７１ｄによって行なう。商品選択が終了すると、図５４に示すお買い上げ一覧画面７６を開き、画面１にお気に入りサムネイル画像を表示し、画面２に合成画像を表示し、画面３に会計画面を表示する。
【００７７】
２画面プレゼン商品選択画面の場合には、インデックス画像は表示しない。図４０に示すプレゼン注文確認画面６２で「レイアウトしない」を選択した場合は、合成画像は表示しない。画面３には、図５６に示すお買い上げ合計画面７８を表示し、購入した商品の中に、ポストカードが含まれている場合は図５５に示すはがき種選択画面７７を表示する。
【００７８】
図５５に示すはがき種選択画面７７には、はがき種７７ａ、受け取り店舗７７ｂ及び支払い方法７７ｃが表示される。受け取り店舗７７ｂは環境設定によって受け取り店を注文後に選択できるか、店舗で受け取るかの設定によって、表示／非表示になる。
【００７９】
図５６に示すお買い上げ合計画面７８には、受付Ｎｏ、お客様名、撮影区分、商品内容、合計金額等の会計情報が表示され、発送先７８ａは商品でポストカードを選択した時に、有効となる。
【００８０】
［発注］（図５８乃至図６４）
図５８に示す発注画面８０には、担当者表示部８０ａ、発注日付８０ｂ、注文表示部８０ｃ、画像確認ボタン８０ｄ、送信ボタン８０ｅ、詳細情報ボタン８０ｆ、作業指示入力ボタン８０ｇ、アップロードボタン８０ｈ、レイアウト調整ボタン８０ｉ、送信予約ボタン８０ｊ、発注状況確認ボタン８０ｋ、戻るボタン８０ｌ及び環境設定ボタン８０ｍが設けられている。
【００８１】
環境設定ボタン８０ｍをクリックすることで、図６４に示す発注環境設定画面８６を開き、プリント開始日設定、送信までの保管期間設定、送信時のリトライ回数設定等の発注の設定を行なう。注文表示部８０ｃには、図５９に示す発注内容確認画面８１が設けられ、発注内容が表示される。発注内容確認画面８１の閉じるボタン８１ａをクリックすると閉じ、注文表示部８０ｃのスクロールバー８０ｃ１の操作で次の発注内容確認画面８１が表示される。
【００８２】
図５８に示す発注画面８０の画像確認ボタン８０ｄをクリックすると、図６０の画像確認画面８２が開き、この画像確認画面８２には再読込みボタン８２ａをクリックすると、発注する撮影画像８２ｂが表示される。また、画像確認画面８２にはゴミ取りボタン８２ｃ、決定ボタン８２ｄ、戻るボタン８２ｅが設けられ、撮影画像８２ｂのゴミ取りを行ない、図５８に示す発注画面８０に戻る。
【００８３】
図５８に示す発注画面８０のレイアウト調整ボタン８０ｉをクリックすると、図６１のレイアウト調整画面８３が開き、このレイアウト調整画面８３には合成画像８３ａと合成画像の商品名８３ｂが表示される。レイアウト調整表示部８３ｃにはスクロールバー８３ｄによって指定された合成画像が表示される。また、合成画像８３ａをクリックすることで、レイアウト調整表示部８３ｃに表示される。このレイアウト調整は、縮小ボタン８３ｅ、拡大ボタン８３ｆ、回転ボタン８３ｇ及び位置調整ボタン８３ｈによって行なう。決定ボタン８２ｉのクリックでレイアウト調整を決定し、戻るボタン８２ｊのクリックで図５８に示す発注画面８０に戻る。
【００８４】
図５８に示す発注画面８０の作業指示入力ボタン８０ｇは、設定によって表示／非表示の切替が可能であり、表示の場合に作業指示入力ボタン８０ｇをクリックすると、図６３に示す作業内容指示入力画面８５が開き、指定の顧客の作業指示内容８５ａを記入する。登録ボタン８５ｂをクリックすると、記入された内容を保存し、キャンセルボタン８５ｃをクリックすると、図５８に示す発注画面８０に戻る。
【００８５】
図５８に示す発注画面８０の送信ボタン８０ｅをクリックすると、図６２に示す送信確認画面８４が開き、この送信確認画面８４のはいボタン８４ａをクリックすると商品情報を送信し、いいえボタン８４ｂをクリックすると図５８に示す発注画面８０に戻る。はいボタン８４ａをクリックして商品情報の送信に失敗した場合は、図６４に示す発注環境設定画面８６に設定している送信時のリトライ回数分送信のリトライを行なう。
【００８６】
図５８に示す発注画面８０のアップロードボタン８０ｈは、クリックするとプレゼンで表示したお気に入り画像をアップロードし、クリックしないと商品で使用した画像をアップロードする。また、送信ボタン８０ｅをクリックすると、指定された注文をすぐ送信する。アップロードの状態は『済』の状態に更新される。送信予約ボタン８０ｊをクリックすると、プレゼンを行なった日から数えて図６４に示す発注環境設定画面８６で環境設定されている日数後に送信する。
【００８７】
次に、図９４に基づき発注の処理を説明する。
【００８８】
注文の画像確認ステータスは、『済』を判断し（ステップｂ１）、注文の画像確認ステータスが『済』の場合、ボタンのクリックを判断する（ステップｂ２）。アップロードボタン８０ｈがクリックされると、プレゼンで表示したお気に入り画像をアップロードし終了する。レイアウト調整ボタン８０ｉがクリックされると、注文のレイアウト調整ステータスは、『済』を判断し（ステップｂ３）、『済』でない場合ステップｂ２へ遷移する。
【００８９】
注文のレイアウト調整ステータスは、『済』の場合は、アップロードボタン８０ｈがクリックされると、プレゼンで表示したお気に入り画像をアップロードし終了する。また、送信ボタン８０ｅをクリックすると、指定された注文をすぐ送信する。送信予約ボタン８０ｊをクリックすると、プレゼンを行なった日から数えて図６４に示す発注環境設定画面８６で環境設定されている日数後に送信する。
【００９０】
［管理］（図６５乃至図９１）
図６５に示す管理画面８７には、基本設定ボタン８７ａ、入力設定ボタン８７ｂ、出力（受付）設定ボタン８７ｃ、発注ボタン８７ｄ、商品登録ボタン８７ｅ、集計ボタン８７ｆ、戻るボタン８７ｇが設けられている。
＜基本設定＞
図６５に示す管理画面８７の基本設定ボタン８７ａをクリックすると、図６６に示す基本設定画面８８が開き、この基本設定画面８８には、スケジュール設定ボタン８８ａ、店舗情報ボタン８８ｂ、従業員登録／制限ボタン８８ｃ、外注先登録ボタン８８ｄ、規定値登録ボタン８８ｅ、通信設定ボタン８８ｆ、顧客登録ボタン８８ｇ、最新バージョンアップデートボタン８８ｈ及び戻るボタン８８ｉが設けられている。
【００９１】
スケジュール設定ボタン８８ａをクリックすると、図６７に示すスケジュール設定画面８９が開き、このスケジュール設定画面８９で月のスケジュール予定、デフォルトスケジュール、変更スケジュールを設定する。
【００９２】
店舗情報ボタン８８ｂをクリックすると、図６８に示す店舗情報設定画面９０が開き、この店舗情報設定画面９０で店舗ＩＤ、店舗名称を入力する。従業員登録／制限ボタン８８ｃをクリックすると、図６９に示す従業員登録／制限画面９１が開き、この従業員登録／制限画面９１で従業員登録／制限を設定する。担当者ＩＤ、パスワードはランチャーに表示／非表示の設定を行なうことができる。
【００９３】
外注先登録ボタン８８ｄをクリックすると、図７０に示す外注先登録画面９２が開き、この外注先登録画面９２で外注先を登録する。外注先の登録では、商品カテゴリの設定と、送信先を入力する。規定値登録ボタン８８ｅをクリックすると、図７１に示す規定値登録画面９３が開き、この規定値登録画面９３で規定値を登録する。
【００９４】
通信設定ボタン８８ｆをクリックすると、図７２に示す通信設定画面９４が開き、この通信設定画面９４で通信設定を行なう。顧客登録ボタン８８ｇをクリックすると、図７３に示す顧客登録画面９５が開き、この顧客登録画面９５で顧客を登録する。
【００９５】
最新バージョンアップデートボタン８８ｈをクリックすると、図７４に示す最新バージョンアップ確認画面９６が開き、この最新バージョンアップ確認画面９６で最新ファイルのバージョンアップを行なう。
＜入力設定＞
図６５に示す管理画面８７の入力設定ボタン８７ｂをクリックすると、図７５に示す入力設定画面９７が開き、この入力設定画面９７には、スタジオＮｏ登録ボタン９７ａ、デジカメ機種登録ボタン９７ｂ、ＣＭＳ登録ボタン９７ｃ及び戻るボタン９７ｄが設けられている。
【００９６】
スタジオＮｏ登録ボタン９７ａをクリックすると、図７６に示すスタジオＮｏ登録画面９８が開き、このスタジオＮｏ登録画面９８でスタジオＮｏの設定を行なう。デジカメ機種登録ボタン９７ｂをクリックすると、図７７に示すデジカメ機種登録画面９９が開き、このデジカメ機種登録画面９９でデジカメ機種の設定を行なう。ＣＭＳ登録ボタン９７ｃをクリックすると、図７８に示すＣＭＳ登録画面１００が開き、このＣＭＳ登録画面１００でＣＭＳの設定を行なう。
＜出力（受付）設定＞
図６５に示す管理画面８７の出力（受付）設定ボタン８７ｃをクリックすると、図７９に示す出力（受付）設定画面１０１が開き、この出力（受付）設定画面１０１には、プリンタ機種登録ボタン１０１ａ、作業メモプリントレイアウト編集ボタン１０１ｂ、注文一覧プリントレイアウト編集ボタン１０１ｃ及び戻るボタン１０１ｄが設けられている。プリンタ機種登録ボタン１０１ａをクリックすると、図８０に示すプリンタ機種登録画面１０２が開き、このプリンタ機種登録画面１０２でプリンタ機種の登録を行なう。
【００９７】
作業メモプリントレイアウト編集ボタン１０１ｂをクリックすると、図８１に示す作業メモプリントレイアウト画面１０３が開き、この作業メモプリントレイアウト画面１０３で作業メモプリントレイアウトの設定を行なう。注文一覧プリントレイアウト編集ボタン１０１ｃをクリックすると、図８２に示す注文一覧プリントレイアウト画面１０４が開き、この注文一覧プリントレイアウト画面１０４で注文一覧プリントレイアウトの設定を行なう。
＜発注設定＞
図６５に示す管理画面８７の発注ボタン８７ｄをクリックすると、図８３に示す発注画面１０５が開き、この発注画面１０５で発注状況確認アドレスの編集を行なう。この発注状況確認アドレスの編集は、図８４に示す発注状況確認アドレス画面１０６によって発注状況を確認するアドレスを設定して行なう。
＜商品登録＞
図６５に示す管理画面８７の商品登録ボタン８７ｅをクリックすると、図８５に示す商品登録画面１０７が開き、この商品登録画面１０７には、テンプレートダウンロードボタン１０７ａ、テンプレート画像登録ボタン１０７ｂ、商品登録ボタン１０７ｃ、テンプレート作成ボタン１０７ｄ及び戻るボタン１０７ｅが設けられている。
【００９８】
テンプレートダウンロードボタン１０７ａをクリックすると、図８６に示すテンプレートダウンロード画面１０８が開き、このテンプレートダウンロード画面１０８でテンプレートのダウンロード元を設定する。テンプレート画像登録ボタン１０７ｂをクリックすると、図８７に示すテンプレート画像登録画面１０９が開き、このテンプレート画像登録画面１０９でテンプレートとして使用する画像を設定する。商品登録ボタン１０７ｃをクリックすると、図８８に示す商品登録画面１１０が開き、この商品登録画面１１０で、単品登録、パック登録等の商品登録の設定を行なう。テンプレート作成ボタン１０７ｄをクリックすると、図８９に示すテンプレート作成画面１１１が開き、このテンプレート作成画面１１１でテンプレートの作成を行なう。
＜集計＞
図６５に示す管理画面８７の集計ボタン８７ｆをクリックすると、図９０に示す集計画面１１２が開き、この集計画面１１２には、集計項目、集計結果が表示され、ファイル保存ボタン１１２ａ、印刷ボタン１１２ｂ及び戻るボタン１１２ｃが設けられている。
【００９９】
ファイル保存ボタン１１２ａをクリックすると、図９１に示すファイル保存画面１１３が開き、このファイル保存画面１１３で集計結果を保存する場所としてファイル名を入力する。
【産業上の利用可能性】
【０１００】
このプリント注文システムは、たくさんの写真プリントの注文を同時に処理でき、例えば写真館、イベント会場等のスタジオにおいて被写体を撮影する際に用いるプリント注文システム等に適用できる。
【図面の簡単な説明】
【０１０１】
【図１】この発明のプリント注文システムを適用した写真撮影スタジオの配置図である。
【図２】この発明のプリント注文システムの概略構成図である。
【図３】受付端末の構成を示す図である。
【図４】画像入力端末の構成を示す図である。
【図５】注文内容入力端末の構成を示す図である。
【図６】発注端末の構成を示す図である。
【図７】管理端末の構成を示す図である。
【図８】ランチャー画面を示す図である。
【図９】受付画面を示す図である。
【図１０】発注状況確認画面を示す図である。
【図１１】スケジュール印刷画面を示す図である。
【図１２】予約登録画面を示す図である。
【図１３】予約確認画面を示す図である。
【図１４】注文確認画面を示す図である。
【図１５】受付会計画面を示す図である。
【図１６】納品確認画面を示す図である。
【図１７】商品お引渡し画面を示す図である。
【図１８】再注文画面を示す図である。
【図１９】注文内容変更画面を示す図である。
【図２０】注文（予約）選択画面を示す図である。
【図２１】顧客検索結果画面を示す図である。
【図２２】作業メモプリント画面を示す図である。
【図２３】予約確認画面を示す図である。
【図２４】削除確認画面を示す図である。
【図２５】予約変更画面を示す図である。
【図２６】注文内容変更画面を示す図である。
【図２７】再注文新規登録画面を示す図である。
【図２８】印刷画面を示す図である。
【図２９】受付環境設定画面を示す図である。
【図３０】印刷画面（レシート）を示す図である。
【図３１】入金履歴画面を示す図である。
【図３２】画像入力画面を示す図である。
【図３３】画像入力確認画面（新規／追加）を示す図である。
【図３４】画像入力確認画面（置き換え）を示す図である。
【図３５】画像入力コピー中画面を示す図である。
【図３６】画像入力終了画面を示す図である。
【図３７】画像取込み元選択画面を示す図である。
【図３８】画像入力環境設定画面を示す図である。
【図３９】プレゼン画面を示す図である。
【図４０】プレゼン注文確認画面を示す図である。
【図４１】３画面プレゼン画像選択画面を示す図である。
【図４２】３画面お気に入り一覧分割なし画面を示す図である。
【図４３】３画面お気に入り一覧４分割画面を示す図である。
【図４４】２画面プレゼン画像選択画面を示す図である。
【図４５】２画面お気に入り一覧分割なし画面を示す図である。
【図４６】２画面お気に入り一覧４分割画面を示す図である。
【図４７】１画面プレゼン画像選択画面を示す図である。
【図４８】１画面お気に入り一覧４分割画面を示す図である。
【図４９】プレゼン商品選択画面１を示す図である。
【図５０】プレゼン商品選択画面２を示す図である。
【図５１】プレゼン商品選択画面３を示す図である。
【図５２】プレゼン商品選択画面４を示す図である。
【図５３】プレゼン中画面の表示画面を示す図である。
【図５４】お買い上げ一覧画面を示す図である。
【図５５】はがき種類選択画面を示す図である。
【図５６】お買い上げ合計画面を示す図である。
【図５７】プレゼン環境設定画面を示す図である。
【図５８】発注画面を示す図である。
【図５９】発注内容確認画面を示す図である。
【図６０】画像確認画面を示す図である。
【図６１】レイアウト調整画面を示す図である。
【図６２】送信確認画面を示す図である。
【図６３】作業内容指示入力画面を示す図である。
【図６４】発注環境設定画面を示す図である。
【図６５】管理画面を示す図である。
【図６６】基本設定画面を示す図である。
【図６７】スケジュール設定画面を示す図である。
【図６８】店舗情報設定画面を示す図である。
【図６９】従業員登録／制限画面を示す図である。
【図７０】外注先登録画面を示す図である。
【図７１】規定値登録画面を示す図である。
【図７２】通信設定画面を示す図である。
【図７３】顧客登録画面を示す図である。
【図７４】最新バージョンアップ確認画面を示す図である。
【図７５】入力設定画面を示す図である。
【図７６】スタジオＮｏ登録画面を示す図である。
【図７７】デジカメ機種登録画面を示す図である。
【図７８】ＣＭＳ登録画面を示す図である。
【図７９】出力（受付）設定画面を示す図である。
【図８０】プリンタ機種登録画面を示す図である。
【図８１】作業メモプリントレイアウト画面を示す図である。
【図８２】注文一覧プリントレイアウト画面を示す図である。
【図８３】発注画面を示す図である。
【図８４】発注状況確認アドレス画面を示す図である。
【図８５】商品登録画面を示す図である。
【図８６】テンプレートダウンロード画面を示す図である。
【図８７】テンプレート画像登録画面を示す図である。
【図８８】商品登録画面を示す図である。
【図８９】テンプレート作成画面を示す図である。
【図９０】集計画面を示す図である。
【図９１】ファイル保存画面を示す図である。
【図９２】予約受付のフローチャートである。
【図９３】データベースサーバの商品販売情報の保存を示す図である。
【図９４】発注処理のフローチャートである。
【符号の説明】
【０１０２】
１  写真撮影スタジオ
２  待合室
３  衣裳室
４  メイク着付け室
５，６  スタジオ
７  プレゼン室
８  事務所
１０  カメラ
１１  画像入力端末
１２  注文内容入力端末
１３  受付端末
１４  発注端末
１５  管理端末
１６  データベースサーバ
１７  ファイルサーバ
１８  ＬＡＮ
２０  インターネット
２１  サポートセンターサーバ
２２  センターサーバ
【図１】
2005190359.tif 000003
【図２】
2005190359.tif 000004
【図３】
2005190359.tif 000005
【図４】
2005190359.tif 000006
【図５】
2005190359.tif 000007
【図６】
2005190359.tif 000008
【図７】
2005190359.tif 000009
【図８】
2005190359.tif 000010
【図９】
2005190359.tif 000011
【図１０】
2005190359.tif 000012
【図１１】
2005190359.tif 000013
【図１２】
2005190359.tif 000014
【図１３】
2005190359.tif 000015
【図１４】
2005190359.tif 000016
【図１５】
2005190359.tif 000017
【図１６】
2005190359.tif 000018
【図１７】
2005190359.tif 000019
【図１８】
2005190359.tif 000020
【図１９】
2005190359.tif 000021
【図２０】
2005190359.tif 000022
【図２１】
2005190359.tif 000023
【図２２】
2005190359.tif 000024
【図２３】
2005190359.tif 000025
【図２４】
2005190359.tif 000026
【図２５】
2005190359.tif 000027
【図２６】
2005190359.tif 000028
【図２７】
2005190359.tif 000029
【図２８】
2005190359.tif 000030
【図２９】
2005190359.tif 000031
【図３０】
2005190359.tif 000032
【図３１】
2005190359.tif 000033
【図３２】
2005190359.tif 000034
【図３３】
2005190359.tif 000035
【図３４】
2005190359.tif 000036
【図３５】
2005190359.tif 000037
【図３６】
2005190359.tif 000038
【図３７】
2005190359.tif 000039
【図３８】
2005190359.tif 000040
【図３９】
2005190359.tif 000041
【図４０】
2005190359.tif 000042
【図４１】
2005190359.tif 000043
【図４２】
2005190359.tif 000044
【図４３】
2005190359.tif 000045
【図４４】
2005190359.tif 000046
【図４５】
2005190359.tif 000047
【図４６】
2005190359.tif 000048
【図４７】
2005190359.tif 000049
【図４８】
2005190359.tif 000050
【図４９】
2005190359.tif 000051
【図５０】
2005190359.tif 000052
【図５１】
2005190359.tif 000053
【図５２】
2005190359.tif 000054
【図５３】
2005190359.tif 000055
【図５４】
2005190359.tif 000056
【図５５】
2005190359.tif 000057
【図５６】
2005190359.tif 000058
【図５７】
2005190359.tif 000059
【図５８】
2005190359.tif 000060
【図５９】
2005190359.tif 000061
【図６０】
2005190359.tif 000062
【図６１】
2005190359.tif 000063
【図６２】
2005190359.tif 000064
【図６３】
2005190359.tif 000065
【図６４】
2005190359.tif 000066
【図６５】
2005190359.tif 000067
【図６６】
2005190359.tif 000068
【図６７】
2005190359.tif 000069
【図６８】
2005190359.tif 000070
【図６９】
2005190359.tif 000071
【図７０】
2005190359.tif 000072
【図７１】
2005190359.tif 000073
【図７２】
2005190359.tif 000074
【図７３】
2005190359.tif 000075
【図７４】
2005190359.tif 000076
【図７５】
2005190359.tif 000077
【図７６】
2005190359.tif 000078
【図７７】
2005190359.tif 000079
【図７８】
2005190359.tif 000080
【図７９】
2005190359.tif 000081
【図８０】
2005190359.tif 000082
【図８１】
2005190359.tif 000083
【図８２】
2005190359.tif 000084
【図８３】
2005190359.tif 000085
【図８４】
2005190359.tif 000086
【図８５】
2005190359.tif 000087
【図８６】
2005190359.tif 000088
【図８７】
2005190359.tif 000089
【図８８】
2005190359.tif 000090
【図８９】
2005190359.tif 000091
【図９０】
2005190359.tif 000092
【図９１】
2005190359.tif 000093
【図９２】
2005190359.tif 000094
【図９３】
2005190359.tif 000095
【図９４】
2005190359.tif 000096